(57)【要約】【課題】  熱媒が通流するときの通流抵抗が小さく圧力損失は低いものにすることが可能なものでありながら、暖房ムラ等の少ない良好な状態で暖房対象空間のほぼ全体にわたって満遍なく暖房することが可能となる床暖房パネルを提供する。【解決手段】    外形が矩形状に構成された板状基材３１の一辺に沿うパネル所定方向における一端側箇所に熱媒受入用接続部１３が備えられ、他端側箇所に熱媒排出用接続部１４が備えられ、熱媒流通管６が熱媒を並列状態で通流させる複数の管体６Ａ〜６Ｄを備えて構成され、複数の管体６Ａ〜６Ｄが、板状基材３１における板面方向に沿って間隔をあけた並び状態で、板状基材３１のほぼ全体にわたって分散させた状態で蛇行状の熱媒流通経路を形成する一方向通流形式に構成されている。【選択図】        図４
2006214692.tif 000002
【特許請求の範囲】
【請求項１】
外形が矩形状に構成された板状基材と、その板状基材に形成された溝部内に配設される床暖房用の熱媒流通管と、前記熱媒流通管に対して熱媒を受入れる熱媒受入れ用接続部と、前記熱媒流通管からの熱媒を排出するための熱媒排出用接続部とが備えられている床暖房パネルであって、
前記熱媒受入用接続部と前記熱媒排出用接続部とが、前記板状基材におけるその一辺に沿うパネル所定方向において両端側に位置する部分に振り分け配置され、
前記熱媒流通管が、前記熱媒受入用接続部から受け入れた熱媒を前記熱媒排出用接続部に向けて並列状態で通流させる複数の管体を備えて構成され、
前記複数の管体が、
前記板状基材における板面方向に沿って間隔をあけた並び状態で、前記パネル所定方向と交差する方向に沿って直線状に延びる直線状管路部分、その直線状管路部分の長手方向一端側箇所に接続されて湾曲状に屈曲する折れ曲がり経路を構成する一端側の湾曲状管路部分、その一端側の湾曲状管路部分の長手方向の他端側に接続されて前記直線状管路部分よりも前記パネル所定方向の他端側に離間して前記パネル所定方向と交差する方向に沿って直線状に延びる他端側の直線状管路部分、前記他端側の直線状管路部分の長手方向他端側箇所に接続されて湾曲状に屈曲する折れ曲がり経路を構成する他端側の湾曲状管路部分の夫々をその順序で交互に繰り返して蛇行状の経路を形成する状態で配設され、前記板状基材のほぼ全体にわたって分散させた状態で蛇行状の熱媒流通経路を形成する一方向通流形式に構成されている床暖房パネル。
【請求項２】
前記板状基材が、
前記熱媒流通管における前記直線状管路部分が配設される平行又は略平行な複数の直線溝部を備えた複数の直線溝形成基材部分、前記複数の湾曲状管路部分が配設される複数の湾曲溝部を備えた複数の湾曲溝形成基材部分、前記熱媒受入れ用接続部を備えた熱媒受入れ用基材部分、及び、前記熱媒排出用接続部を備えた熱媒排出用基材部分の夫々を並べて構成されている請求項１記載の床暖房パネル。
【請求項３】
主暖房対象空間と副暖房対象空間とを床暖房する床暖房設備であって、
前記副暖房対象空間に、請求項１又は２に記載の一方向通流形式の床暖房パネルが設置され、
前記主暖房対象空間に、
外形が矩形状に構成された板状基材と、その板状基材に形成された溝部内に配設される床暖房用の熱媒流通管と、前記熱媒流通管に対して熱媒を受入れる熱媒受入れ用接続部と前記熱媒流通管からの熱媒を排出するための熱媒排出用接続部とを一体的に備えた熱媒ヘッダとを備えて、前記熱媒流通管が、前記板状基材におけるその一辺に沿うパネル所定方向と交差する方向に沿って直線状に延びる直線状管路部分、その直線状管路部分の長手方向一端側箇所に接続されて湾曲状に屈曲する折れ曲がり経路を構成する一端側の湾曲状管路部分、その一端側の湾曲状管路部分の長手方向の他端側に接続されて前記直線状管路部分よりも前記パネル所定方向の他端側に離間して前記パネル所定方向と交差する方向に沿って直線状に延びる他端側の直線状管路部分、前記他端側の直線状管路部分の長手方向他端側箇所に接続されて湾曲状に屈曲する折れ曲がり経路を構成する他端側の湾曲状管路部分の夫々を交互に繰り返して蛇行状の経路を形成し、更に、前記熱媒流通管の経路途中に熱媒を前記熱媒ヘッダに向けて戻すための折り返し用の往復湾曲溝部を備える状態で配設され、前記熱媒ヘッダにて受け入れた熱媒を前記板状基材のほぼ全体にわたって分散させた状態で蛇行状に通流させ且つ経路途中で折り返して前記熱媒ヘッダまで戻すように循環通流させる循環通流形式の床暖房パネルが設置され、
熱源機からの熱媒を前記主暖房対象空間に設置された循環通流形式の床暖房パネルの前記熱媒流通管に通流させ、その熱媒流通管を通流した熱媒を前記副暖房対象空間に設置された前記一方向通流形式の床暖房パネルの前記熱媒流通管に供給して通流させて前記熱源機に戻すように構成されている床暖房設備。
【請求項４】
外形が矩形状に構成された板状基材と、その板状基材に形成された溝部内に配設される床暖房用の熱媒流通管と、前記熱媒流通管に対して熱媒を受入れる熱媒受入れ用接続部と、前記熱媒流通管からの熱媒を排出するための熱媒排出用接続部とが備えられている床暖房パネルの製造方法であって、
前記床暖房パネルとして、
前記熱媒受入用接続部と前記熱媒排出用接続部とが、前記板状基材におけるその一辺に沿うパネル所定方向において両端側に位置する部分に振り分け配置され、前記熱媒流通管が、前記熱媒受入用接続部から受け入れた熱媒を前記熱媒排出用接続部に向けて並列状態で通流させる複数の管体を備えて構成され、前記複数の管体が、前記板状基材の表面に沿う方向に沿って間隔をあけた状態で、前記パネル所定方向と交差する方向に沿って直線状に延びる直線状管路部分、その直線状管路部分の長手方向一端側箇所に接続されて湾曲状に屈曲する折れ曲がり経路を構成する一端側の湾曲状管路部分、その一端側の湾曲状管路部分の長手方向の他端側に接続されて前記直線状管路部分よりも前記パネル所定方向の他端側に離間して前記パネル所定方向と交差する方向に沿って直線状に延びる他端側の直線状管路部分、前記他端側の直線状管路部分の長手方向他端側箇所に接続されて湾曲状に屈曲する折れ曲がり経路を構成する他端側の湾曲状管路部分の夫々を交互に繰り返して蛇行状の経路を形成する状態で配設され、前記板状基材のほぼ全体にわたって分散させた状態で蛇行状の熱媒流通経路を形成する一方向通流形式に構成されている一方向通流形式の床暖房パネルと、
外形が矩形状に構成された板状基材と、その板状基材に形成された溝部内に配設される床暖房用の熱媒流通管と、前記熱媒流通管に対して熱媒を受入れる熱媒受入れ用接続部と前記熱媒流通管からの熱媒を排出するための熱媒排出用接続部とを一体的に備えた熱媒ヘッダとを備えて、前記熱媒流通管が、前記板状基材の外周の１辺に沿うパネル所定方向と交差する方向に沿って直線状に延びる直線状管路部分、その直線状管路部分の長手方向一端側箇所に接続されて湾曲状に屈曲する折れ曲がり経路を構成する一端側の湾曲状管路部分、その一端側の湾曲状管路部分の長手方向の他端側に接続されて前記直線状管路部分よりも前記パネル所定方向の他端側に離間して前記パネル所定方向と交差する方向に沿って直線状に延びる他端側の直線状管路部分、前記他端側の直線状管路部分の長手方向他端側箇所に接続されて湾曲状に屈曲する折れ曲がり経路を構成する他端側の湾曲状管路部分の夫々を交互に繰り返して蛇行状の経路を形成し、更に、前記熱媒流通管の経路途中に熱媒を前記熱媒ヘッダに向けて戻すための折り返し用の往復湾曲溝部を備える状態で配設され、前記熱媒ヘッダにて受け入れた熱媒を前記板状基材のほぼ全体にわたって分散させた状態で蛇行状に通流させ且つ経路途中で折り返して前記熱媒ヘッダまで戻すように循環通流させる循環通流形式の床暖房パネルとがあり、
前記一方向通流形式の床暖房パネルを作成するための前記板状基材の形成材として、
前記複数の直線状管路部分が配設される平行又は略平行な複数の直線溝部を備えた複数の直線溝形成基材部分、前記複数の湾曲状管路部分が配設される複数の湾曲溝部を備えた複数の湾曲溝形成基材部分、前記熱媒受入れ用接続部を備えた熱媒受入れ用基材部分、前記熱媒排出用接続部を備えた熱媒排出用基材部分の夫々を作成して、それら形成材を並べて前記板状基材を形成するように構成され、
前記循環通流形式の床暖房パネルを作成するための前記板状基材の形成材として、
前記複数の直線状管路部分が配設される平行又は略平行な複数の直線溝部を備えた複数の直線溝形成基材部分、前記複数の湾曲状管路部分が配設される複数の湾曲溝部を備えた複数の湾曲溝形成基材部分、前記往復湾曲溝部を備えた往復湾曲溝形成基材部分、前記熱媒ヘッダを設けるための出入り口形成基材部分の夫々を作成して、それら形成材を並べて前記板状基材を形成するように構成され、
前記一方向通流形式の床暖房パネルの作成に用いる前記板状基材における前記直線溝形成基材部分及び前記湾曲溝形成基材部分と、前記循環通流形式の床暖房パネルの作成に用いる前記板状基材における前記直線溝形成基材部分及び前記湾曲溝形成基材部分とを同じ仕様として兼用することを特徴とする床暖房パネルの製造方法。
【請求項５】
前記直線溝形成基材部分は、前記複数の直線溝部が長手方向に沿って形成されている長尺状の構成材を、形成する床暖房パネルの大きさに合わせて短尺状に切断して形成される請求項４記載の床暖房パネルの製造方法。
【請求項６】
前記一方向通流形式の床暖房パネルの作成に用いる前記板状基材における前記熱媒受入れ用基材部分と前記熱媒排出用基材部分とを同じ仕様として兼用することを特徴とする請求項４又は５に記載の床暖房パネルの製造方法。
【発明の詳細な説明】
【技術分野】
【０００１】
本発明は、外形が矩形状に構成された板状基材と、その板状基材に形成された溝部内に配設される床暖房用の熱媒流通管と、前記熱媒流通管に対して熱媒を受入れる熱媒受入れ用接続部と、前記熱媒流通管からの熱媒を排出するための熱媒排出用接続部とが備えられている床暖房パネル、その床暖房パネルを備えた床暖房設備、及び、床暖房パネルを製造する製造方法に関する。
【背景技術】
【０００２】
上記構成の床暖房パネルにおいて、従来では、熱媒流通管に対して熱媒を受入れる熱媒受入れ用接続部と熱媒流通管からの熱媒を排出するための熱媒排出用接続部とを一体的に備えた熱媒ヘッダを備えて、前記熱媒流通管を通して熱媒ヘッダから受け入れた熱媒を板状基材のほぼ全体にわたって分散させた状態で蛇行状に通流させ且つ経路途中で折り返して熱媒ヘッダまで戻すように循環通流させる循環通流形式の床暖房パネルとして構成されるものがあった（例えば、特許文献１参照。）。
【０００３】
又、別の従来技術として、次のように構成したものもある。
床暖房パネルとその床暖房パネルに熱媒を供給する熱源機とを備えた床暖房設備において、暖房対象空間として、リビングや和室等の主暖房対象空間だけでなく、廊下、台所や脱衣所などの副暖房対象空間にも床暖房パネルを設置して暖房する構成となっており、主暖房対象空間には上記したような循環通流形式の床暖房パネルを設置し、副暖房対象空間には、次のような一方向通流形式の床暖房パネルを設置するように構成したものがあった。
【０００４】
すなわち、前記板状基材におけるその１辺に沿うパネル所定方向における一端側箇所に前記熱媒受入用接続部が備えられ、前記パネル所定方向における他端側箇所に前記熱媒排出用接続部が備えられ、前記熱媒流通管が前記熱媒受入用接続部から受け入れた熱媒を前記熱媒排出用接続部に向けて並列状態で通流させる複数の管体を備えて構成され、それら複数の管体は前記パネル所定方向に沿って延びる直線状の流動経路を形成するような一方向通流形式の床暖房パネルとして構成されていた。そして、熱源機から供給される熱媒を、先ず、主暖房対象空間に設置した循環通流形式の床暖房パネルに供給し、循環通流形式の床暖房パネルから排出された熱媒を副暖房対象空間に設置した一方向通流形式の床暖房パネルに供給して、その一方向通流形式の床暖房パネルから排出された熱媒を熱源機に戻す構成となっている（例えば、特許文献２参照。）。
【０００５】
このような構成は、副暖房対象空間に設置される床暖房パネルにおける熱媒流通管を並列状態で通流させる複数の管体にて構成して圧力損失をできるだけ小さくして、主暖房対象空間に設置される床暖房パネルからの戻り熱媒を有効利用するようにしたものである。
つまり、副暖房対象空間は主暖房対象空間に比べて使用者が長時間存在する可能性が低いので、例えば主暖房対象空間に設置される床暖房パネルと同様な構成の床暖房パネルを副暖房対象空間に設置しておき、それらの各床暖房パネルに対して熱源機から熱媒を並列状態で循環供給するような構成のものに比べて、副暖房対象空間で余計な暖房が行われて余剰の暖房コストがかからないようにしたものである。
【０００６】
そして、床暖房パネルを製造するにあたって、従来では、主暖房対象空間に設置される循環通流形式の床暖房パネルと副暖房対象空間に設置される一方向通流形式の床暖房パネルとは、熱媒流通管の構成が全く異なるものであるから、循環通流形式の床暖房パネルと一方向通流形式の床暖房パネルとは、板状基材及び熱媒流通管等の主要な部材は全て異なる製造工程にて作成して床暖房パネルを製造するようになっていた。
【０００７】
【特許文献１】特開２００２−１０６８６３号公報
【特許文献２】特開２００４−１６３０６９号公報
【発明の開示】
【発明が解決しようとする課題】
【０００８】
上記従来構成においては、例えば副暖房対象空間等に設置して利用される一方向通流形式の床暖房パネルとして、熱媒流通管が板状基材におけるその１辺に沿うパネル所定方向における一端側箇所に備えられた熱媒受入用接続部から受け入れた熱媒を、前記パネル所定方向における他端側箇所に備えられた熱媒排出用接続部に向けて並列状態で通流させる複数の管体を備えて構成され、それら複数の管体がパネル所定方向に沿って延びる直線状の流動経路を形成する構成となっているので、次のような不利があった。
【０００９】
すなわち、上記従来構成の床暖房パネルは、熱媒を並列状態で通流させる複数の管体を備えているので、例えば１本の管体を蛇行状に形成して熱媒流通経路を構成するものに比べて、熱媒が通流するときの通流抵抗が小さく圧力損失は低いものとなるが、複数の管体が直線状の流動経路を形成するものであるから、暖房対象空間の床を暖房することになる板状基材の上部表面のうち熱媒流通管が配設される領域が狭い領域に限られてしまうので、充分に暖房されない未暖房領域が発生して暖房対象空間内で暖房ムラが発生する不利があった。
【００１０】
従来の床暖房設備においては、主暖房対象空間には上記したような循環通流形式の床暖房パネルを設置するので、主暖房対象空間に対しては暖房ムラの少ない良好な状態で床面のほぼ全体にわたって満遍なく暖房することが可能であるが、廊下や台所などの副暖房対象空間においては、上記したような一方向通流形式の床暖房パネルを用いることによる不利、すなわち、充分に暖房されない未暖房領域が発生して暖房ムラが発生するといった不利があった。
【００１１】
従来の床暖房パネルの製造方法では、床暖房パネルを作成するときに、循環通流形式の床暖房パネルと一方向通流形式の床暖房パネルとは、板状基材及び熱媒流通管等の主要な部材は全て異なる製造工程で作成することになるから、一方向通流形式の床暖房パネルを作成するときには、循環通流形式の床暖房パネルとは異なる部材で構成されるものであり、成型用の金型として夫々各別に異なるものを製作しなければならずそれだけ余計な費用がかかり、又、夫々専用の製造工程が必要になることから、全体としての製作費用が高いものとなりコスト高になる不利があった。
【００１２】
本発明の目的は、熱媒が通流するときの通流抵抗が小さく圧力損失は低いものにすることが可能なものでありながら、暖房ムラ等の少ない良好な状態で暖房対象空間のほぼ全体にわたって満遍なく暖房することが可能となる床暖房パネルを提供する点にある。
【００１３】
本発明の別の目的は、余剰の暖房コストがかからないようにしながら、主暖房対象空間だけでなく副暖房対象空間に対してもほぼ全体にわたって満遍なく暖房することが可能となる床暖房設備を提供する点にある。
【００１４】
本発明の更に別の目的は、床暖房パネルを作成するにあたって、部材の兼用化により全体としての費用を低く抑制して低コストで作成することが可能となる床暖房パネルの製造方法を提供する点にある。
【課題を解決するための手段】
【００１５】
本発明に係る床暖房パネルは、外形が矩形状に構成された板状基材と、その板状基材に形成された溝部内に配設される床暖房用の熱媒流通管と、前記熱媒流通管に対して熱媒を受入れる熱媒受入れ用接続部と、前記熱媒流通管からの熱媒を排出するための熱媒排出用接続部とが備えられているものであって、
その第１特徴構成は、
前記熱媒受入用接続部と前記熱媒排出用接続部とが、前記板状基材におけるその一辺に沿うパネル所定方向において両端側に位置する部分に振り分け配置され、
前記熱媒流通管が、前記熱媒受入用接続部から受け入れた熱媒を前記熱媒排出用接続部に向けて並列状態で通流させる複数の管体を備えて構成され、
前記複数の管体が、
前記板状基材における板面方向に沿って間隔をあけた並び状態で、前記パネル所定方向と交差する方向に沿って直線状に延びる直線状管路部分、その直線状管路部分の長手方向一端側箇所に接続されて湾曲状に屈曲する折れ曲がり経路を構成する一端側の湾曲状管路部分、その一端側の湾曲状管路部分の長手方向の他端側に接続されて前記直線状管路部分よりも前記パネル所定方向の他端側に離間して前記パネル所定方向と交差する方向に沿って直線状に延びる他端側の直線状管路部分、前記他端側の直線状管路部分の長手方向他端側箇所に接続されて湾曲状に屈曲する折れ曲がり経路を構成する他端側の湾曲状管路部分の夫々をその順序で交互に繰り返して蛇行状の経路を形成する状態で配設され、前記板状基材のほぼ全体にわたって分散させた状態で蛇行状の熱媒流通経路を形成する一方向通流形式に構成されている点にある。
【００１６】
第１特徴構成を備えた床暖房パネルは、熱媒受入れ用接続部から受け入れた熱媒は、複数の管体を通して熱媒受入用接続部から熱媒排出用接続部に向けて並列状態で通流されるので、例えば１本の管体を蛇行状に形成して熱媒流通経路を構成するものに比べて、熱媒が通流するときの通流抵抗が小さく圧力損失は低いものとなる。しかも、複数の管体は、上述した如く、板状基材における板面方向に沿って間隔をあけた並び状態で、且つ、蛇行状の経路を形成する状態で配設されて板状基材のほぼ全体にわたって分散させた状態で蛇行状の熱媒流通経路を形成する構成となっているので、暖房対象空間に対して暖房ムラの少ない良好な状態で床面のほぼ全体にわたって満遍なく暖房することが可能となる。
【００１７】
従って、熱媒が通流するときの通流抵抗が小さく圧力損失は低いものにすることが可能なものでありながら、暖房ムラ等の少ない良好な状態で暖房対象空間のほぼ全体にわたって満遍なく暖房することが可能となる床暖房パネルを提供できるに至った。
【００１８】
本発明の第２特徴構成は、第１特徴構成に加えて、前記板状基材が、
前記熱媒流通管における前記直線状管路部分が配設される平行又は略平行な複数の直線溝部を備えた複数の直線溝形成基材部分、前記複数の湾曲状管路部分が配設される複数の湾曲溝部を備えた複数の湾曲溝形成基材部分、前記熱媒受入れ用接続部を備えた熱媒受入れ用基材部分、及び、前記熱媒排出用接続部を備えた熱媒排出用基材部分の夫々を並べて構成されている点にある。
【００１９】
第２特徴構成によれば、前記板状基材として、前記複数の直線溝形成基材部分、前記複数の湾曲溝形成基材部分、前記熱媒受入れ用基材部分、及び、前記熱媒排出用基材部分の夫々を並べて構成するものであるから、大きさの異なる床暖房パネルを作成するような場合であっても、例えば直線溝形成基材部分を、複数の直線溝部が長手方向に沿って形成されている長尺状の構成材を予め用意しておいて、床暖房パネルの大きさに合わせて短尺状に切断して形成するようにすると、それ以外の湾曲溝形成基材部分、熱媒受入れ用基材部分、及び、熱媒排出用基材部分の夫々は、床暖房パネルの大きさの違いにかかわらず共用することが可能であり、部材の兼用化によりコスト低減を図ることが可能になる。
【００２０】
本発明の第３特徴構成は、主暖房対象空間と副暖房対象空間とを床暖房する床暖房設備であって、
前記副暖房対象空間に、請求項１又は２に記載の一方向通流形式の床暖房パネルが設置され、
前記主暖房対象空間に、
外形が矩形状に構成された板状基材と、その板状基材に形成された溝部内に配設される床暖房用の熱媒流通管と、前記熱媒流通管に対して熱媒を受入れる熱媒受入れ用接続部と前記熱媒流通管からの熱媒を排出するための熱媒排出用接続部とを一体的に備えた熱媒ヘッダとを備えて、前記熱媒流通管が、前記板状基材におけるその一辺に沿うパネル所定方向と交差する方向に沿って直線状に延びる直線状管路部分、その直線状管路部分の長手方向一端側箇所に接続されて湾曲状に屈曲する折れ曲がり経路を構成する一端側の湾曲状管路部分、その一端側の湾曲状管路部分の長手方向の他端側に接続されて前記直線状管路部分よりも前記パネル所定方向の他端側に離間して前記パネル所定方向と交差する方向に沿って直線状に延びる他端側の直線状管路部分、前記他端側の直線状管路部分の長手方向他端側箇所に接続されて湾曲状に屈曲する折れ曲がり経路を構成する他端側の湾曲状管路部分の夫々を交互に繰り返して蛇行状の経路を形成し、更に、前記熱媒流通管の経路途中に熱媒を前記熱媒ヘッダに向けて戻すための折り返し用の往復湾曲溝部を備える状態で配設され、前記熱媒ヘッダにて受け入れた熱媒を前記板状基材のほぼ全体にわたって分散させた状態で蛇行状に通流させ且つ経路途中で折り返して前記熱媒ヘッダまで戻すように循環通流させる循環通流形式の床暖房パネルが設置され、
熱源機からの熱媒を前記主暖房対象空間に設置された循環通流形式の床暖房パネルの前記熱媒流通管に通流させ、その熱媒流通管を通流した熱媒を前記副暖房対象空間に設置された前記一方向通流形式の床暖房パネルの前記熱媒流通管に供給して通流させて前記熱源機に戻すように構成されている点にある。
【００２１】
第３特徴構成によれば、使用者が長時間存在する可能性が高い主暖房対象空間には、上述したような循環通流形式の床暖房パネルが設置され、この循環通流形式の床暖房パネルは、熱媒ヘッダにて受け入れた熱媒を前記板状基材のほぼ全体にわたって分散させた状態で蛇行状に通流させ且つ経路途中で折り返して前記熱媒ヘッダまで戻すように循環通流させるように構成されているので、暖房ムラ等の少ない良好な状態で暖房対象空間のほぼ全体にわたって満遍なく暖房することが可能となる。
【００２２】
そして、前記副暖房対象空間には上述したような一方向通流形式の床暖房パネルが設置され、しかも、熱源機からの熱媒を主暖房対象空間に設置された循環通流形式の床暖房パネルの熱媒流通管に通流させ、その熱媒流通管を通流した熱媒を副暖房対象空間に設置された圧力損失の少ない一方向通流形式の床暖房パネルの熱媒流通管に供給して通流させて熱源機に戻すようにしているから、圧力損失が大きくなることを回避しながら、主暖房対象空間に設置される床暖房パネルからの戻り熱媒を有効利用して、副暖房対象空間に対して暖房ムラの少ない良好な状態で床面のほぼ全体にわたって満遍なく暖房することが可能となる。
【００２３】
このような構成であれば、主暖房対象空間に設置される床暖房パネルと同様な構成の床暖房パネルを副暖房対象空間に設置しておき、それらの各床暖房パネルに対して熱源機から熱媒を並列状態で循環供給するような構成のものに比べて、副暖房対象空間で余計な暖房が行われる等の余剰な暖房コストがかかることがない。
【００２４】
従って、余剰の暖房コストがかからないようにしながら、主暖房対象空間だけでなく副暖房対象空間に対してもほぼ全体にわたって満遍なく暖房することが可能となる床暖房設備を提供できるに至った。
【００２５】
本発明の第４特徴構成は、外形が矩形状に構成された板状基材と、その板状基材に形成された溝部内に配設される床暖房用の熱媒流通管と、前記熱媒流通管に対して熱媒を受入れる熱媒受入れ用接続部と、前記熱媒流通管からの熱媒を排出するための熱媒排出用接続部とが備えられている床暖房パネルの製造方法であって、
前記床暖房パネルとして、前記熱媒受入用接続部と前記熱媒排出用接続部とが、前記板状基材におけるその一辺に沿うパネル所定方向において両端側に位置する部分に振り分け配置され、前記熱媒流通管が、前記熱媒受入用接続部から受け入れた熱媒を前記熱媒排出用接続部に向けて並列状態で通流させる複数の管体を備えて構成され、前記複数の管体が、前記板状基材の表面に沿う方向に沿って間隔をあけた状態で、前記パネル所定方向と交差する方向に沿って直線状に延びる直線状管路部分、その直線状管路部分の長手方向一端側箇所に接続されて湾曲状に屈曲する折れ曲がり経路を構成する一端側の湾曲状管路部分、その一端側の湾曲状管路部分の長手方向の他端側に接続されて前記直線状管路部分よりも前記パネル所定方向の他端側に離間して前記パネル所定方向と交差する方向に沿って直線状に延びる他端側の直線状管路部分、前記他端側の直線状管路部分の長手方向他端側箇所に接続されて湾曲状に屈曲する折れ曲がり経路を構成する他端側の湾曲状管路部分の夫々を交互に繰り返して蛇行状の経路を形成する状態で配設され、前記板状基材のほぼ全体にわたって分散させた状態で蛇行状の熱媒流通経路を形成する一方向通流形式に構成されている一方向通流形式の床暖房パネルと、
外形が矩形状に構成された板状基材と、その板状基材に形成された溝部内に配設される床暖房用の熱媒流通管と、前記熱媒流通管に対して熱媒を受入れる熱媒受入れ用接続部と前記熱媒流通管からの熱媒を排出するための熱媒排出用接続部とを一体的に備えた熱媒ヘッダとを備えて、前記熱媒流通管が、前記板状基材の外周の１辺に沿うパネル所定方向と交差する方向に沿って直線状に延びる直線状管路部分、その直線状管路部分の長手方向一端側箇所に接続されて湾曲状に屈曲する折れ曲がり経路を構成する一端側の湾曲状管路部分、その一端側の湾曲状管路部分の長手方向の他端側に接続されて前記直線状管路部分よりも前記パネル所定方向の他端側に離間して前記パネル所定方向と交差する方向に沿って直線状に延びる他端側の直線状管路部分、前記他端側の直線状管路部分の長手方向他端側箇所に接続されて湾曲状に屈曲する折れ曲がり経路を構成する他端側の湾曲状管路部分の夫々を交互に繰り返して蛇行状の経路を形成し、更に、前記熱媒流通管の経路途中に熱媒を前記熱媒ヘッダに向けて戻すための折り返し用の往復湾曲溝部を備える状態で配設され、前記熱媒ヘッダにて受け入れた熱媒を前記板状基材のほぼ全体にわたって分散させた状態で蛇行状に通流させ且つ経路途中で折り返して前記熱媒ヘッダまで戻すように循環通流させる循環通流形式の床暖房パネルとがあり、
前記一方向通流形式の床暖房パネルを作成するための前記板状基材の形成材として、
前記複数の直線状管路部分が配設される平行又は略平行な複数の直線溝部を備えた複数の直線溝形成基材部分、前記複数の湾曲状管路部分が配設される複数の湾曲溝部を備えた複数の湾曲溝形成基材部分、前記熱媒受入れ用接続部を備えた熱媒受入れ用基材部分、前記熱媒排出用接続部を備えた熱媒排出用基材部分の夫々を作成して、それら形成材を並べて前記板状基材を形成するように構成され、
前記循環通流形式の床暖房パネルを作成するための前記板状基材の形成材として、
前記複数の直線状管路部分が配設される平行又は略平行な複数の直線溝部を備えた複数の直線溝形成基材部分、前記複数の湾曲状管路部分が配設される複数の湾曲溝部を備えた複数の湾曲溝形成基材部分、前記往復湾曲溝部を備えた往復湾曲溝形成基材部分、前記熱媒ヘッダを設けるための出入り口形成基材部分の夫々を作成して、それら形成材を並べて前記板状基材を形成するように構成され、
前記一方向通流形式の床暖房パネルの作成に用いる前記板状基材における前記直線溝形成基材部分及び前記湾曲溝形成基材部分と、前記循環通流形式の床暖房パネルの作成に用いる前記板状基材における前記直線溝形成基材部分及び前記湾曲溝形成基材部分とを同じ仕様として兼用する点にある。
【００２６】
第４特徴構成による床暖房パネルの製造方法においては、前記一方向通流形式の床暖房パネルを作成する場合には、その床暖房パネルの板状基材の形成材として、上述したような複数の直線溝形成基材部分、複数の湾曲溝形成基材部分、熱媒受入れ用基材部分、熱媒排出用基材部分の夫々を作成して、それら形成材を並べて板状基材を形成することになる。
【００２７】
一方、前記循環通流形式の床暖房パネルを作成する場合には、その床暖房パネルの板状基材の形成材として、上述したような複数の直線溝形成基材部分、複数の湾曲溝形成基材部分、前記往復湾曲溝形成基材部分、前記出入り口形成基材部分の夫々を作成して、それら形成材を並べて板状基材を形成することになる。
【００２８】
そして、前記一方向通流形式の床暖房パネルの作成に用いる板状基材における前記直線溝形成基材部分及び前記湾曲溝形成基材部分と、前記循環通流形式の床暖房パネルの作成に用いる板状基材における前記直線溝形成基材部分及び前記湾曲溝形成基材部分とを同じ仕様として兼用することになる。しかも、これらの直線溝形成基材部分と湾曲溝形成基材部分とは熱媒流通管を蛇行状に配設するために複数のものが使用されるので、兼用する部材の個数を多くすることができ、それらの部材を兼用することで、一方向通流形式の床暖房パネルと循環通流形式の床暖房パネルとを異なる構成の基材にて各別に作成するものに比べて作製コストを低減することが可能となる。
【００２９】
従って、床暖房パネルを製造するにあたって、部材の兼用化により全体としての製作費用を低く抑制して低コストで製造することが可能となる床暖房パネルの製造方法を提供できるに至った。
【００３０】
本発明の第５特徴構成は、第４特徴構成において、前記直線溝形成基材部分は、前記複数の直線溝部が長手方向に沿って形成されている長尺状の構成材を、形成する床暖房パネルの大きさに合わせて短尺状に切断して形成される点にある。
【００３１】
第５特徴構成によれば、大きさの異なる床暖房パネルを作成するような場合であっても、例えば直線溝形成基材部分を、複数の直線溝部が長手方向に沿って形成されている長尺状の構成材を予め用意しておいて、床暖房パネルの大きさに合わせて短尺状に切断して適切な長さに形成するようにすると、例えば、一方向通流形式の床暖房パネルを作成する場合には、直線溝形成基材部分以外の湾曲溝形成基材部分、熱媒受入れ用基材部分、及び、熱媒排出用基材部分の夫々は、床暖房パネルの大きさの違いにかかわらず共用することが可能となる。一方、循環通流形式の床暖房パネルを作成する場合には、直線溝形成基材部分以外の湾曲溝形成基材部分、往復湾曲溝形成基材部分、出入り口形成基材部分の夫々は、床暖房パネルの大きさの違いにかかわらず共用することが可能となる。その結果、一方向通流形式の床暖房パネル及び循環通流形式の床暖房パネルのいずれの場合であっても、床暖房パネルの大きさの違いにかかわらず部材を兼用することができ、コスト低減を図ることが可能になる。
【００３２】
本発明の第６特徴構成は、第４特徴構成又は第５特徴構成において、前記一方向通流形式の床暖房パネルの作成に用いる前記板状基材における前記熱媒受入れ用基材部分と前記熱媒排出用基材部分とを同じ仕様として兼用することを特徴とする点にある。
【００３３】
第６特徴構成によれば、前記一方向通流形式の床暖房パネルを作成するにあたって、前記板状基材における前記熱媒受入れ用基材部分と前記熱媒排出用基材部分とを同じ仕様として兼用することになる。このように、それらの部材を兼用することで、一方向通流形式の床暖房パネルを構成するための部品の種類を少ないものにすることができて、作製コストを低減することが可能となる。
【発明を実施するための最良の形態】
【００３４】
以下、本発明に係る床暖房パネル及びそれを備えた床暖房設備について図面に基づいて説明する。
図１、図２に本発明に係る床暖房設備を示している。この床暖房設備は、主暖房対象空間としてのリビング１の床部に設置する主床暖房パネル２と、副暖房対象空間としての台所３の床部に設置する本発明にかかる床暖房パネルの一例である副床暖房パネル４と、主床暖房パネル２に配設された主暖房用熱媒流通管５および副床暖房パネル４に配設された副暖房用熱媒流通管６に熱媒としての温水を循環供給する熱源機７などを備えて構成されている。
【００３５】
そして、この床暖房設備においては、前記主床暖房パネル２は循環通流形式の床暖房パネルにて構成され、又、前記副床暖房パネル４は後述するような一方向通流形式の床暖房パネルにて構成されており、熱源機７からの熱媒を、熱媒通流用の往き管８を通して主床暖房パネル２の主暖房用熱媒流通管５に供給して通流させ、主暖房用熱媒流通管５を通流した熱媒を連絡管９を通して副床暖房パネル４の副暖房用熱媒流通管６に供給して通流させ、副暖房用熱媒流通管６を通流した熱媒を戻り管１０により熱源機７に戻すように配管接続されている。
【００３６】
次に、前記主床暖房パネル２の構成について説明する。
この主床暖房パネル２は、図３に示すように、外形が矩形状に構成された板状基材１１と、その板状基材１１に形成された溝部１２内に配設される主暖房用熱媒流通管５と、熱媒流通管５に対して熱媒を受入れる熱媒受入れ用接続部１３と熱媒流通管５からの熱媒を排出するための熱媒排出用接続部１４とを一体的に備えた熱媒ヘッダ１５とを備えて、主暖房用熱媒流通管５が、板状基材１１の外周の１辺に沿うパネル所定方向（図のＸ１）と交差する方向（図のＹ１）に沿って直線状に延びる直線状管路部分５ａ、その直線状管路部分５ａの長手方向一端側箇所に接続されて湾曲状に屈曲する折れ曲がり経路を構成する一端側の湾曲状管路部分５ｂ、その一端側の湾曲状管路部分５ｂの長手方向の他端側に接続されて前記直線状管路部分５ａよりも前記パネル所定方向Ｘ１の他端側に離間してパネル所定方向と交差する方向Ｙ１に沿って直線状に延びる他端側の直線状管路部分５ａ、前記他端側の直線状管路部分の長手方向他端側箇所に接続されて湾曲状に屈曲する折れ曲がり経路を構成する他端側の湾曲状管路部分５ｂの夫々を交互に繰り返して蛇行状の経路を形成し、更に、熱媒流通管５の経路途中に熱媒を熱媒ヘッダ１５に向けて戻すための折り返し用の往復湾曲溝部５ｃを備える状態で配設され、熱媒ヘッダ１５にて受け入れた熱媒を板状基材１１のほぼ全体にわたって分散させた状態で蛇行状に通流させ且つ経路途中で折り返して熱媒ヘッダ１５まで戻すように循環通流させる循環通流形式の床暖房パネルにて構成されている。
【００３７】
説明を加えると、この主床暖房パネル２では、主暖房用熱媒流通管５は、主暖房対象空間としてのリビング１内での温度分布ができるだけ均一になるように、熱媒ヘッダ１５にて受け入れた熱媒を板状基材１１のほぼ全体にわたって分散させた状態で且つ１本の通流経路を構成する状態で蛇行状に通流させ、その１本の通流経路を経路途中で折り返して熱媒ヘッダ１５まで戻すように循環通流させるように構成されている。
【００３８】
そして、前記板状基材１１は、主暖房用熱媒流通管５における複数の直線状管路部分５ａが配設される平行又は略平行な複数（図に示す例では４本）の直線溝部１２ａを備えた複数の直線溝形成基材部分１６、複数の湾曲状管路部分５ｂが配設される複数（同、４本）の湾曲溝部１２ｂを備えた複数の湾曲溝形成基材部分１７、往復湾曲溝部５ｃを備えた往復湾曲溝形成基材部分１８、熱媒ヘッダ１５を設けるための出入り口形成基材部分１９の夫々を並べて構成されている。更に、前記湾曲溝形成基材部分１７は湾曲溝部１２ｂの形状が左右対称となるように形成された２種の湾曲溝形成基材部分単位体１７ａ，１７ｂにて構成され、前記出入り口形成基材部分１９は熱媒ヘッダ１５が装着されるヘッダ装着用単位体１９ａとヘッダ用湾曲経路形成用単位体１９ｂにて構成されている。又、前記往復湾曲溝形成基材部分１８は往復湾曲溝部１２ｃの形状が異なる２種（１８ａ，１８ｂ）があり、前記パネル所定方向の一端側箇所及び他端側箇所に夫々備えられる構成となっている。
【００３９】
つまり、この主床暖房パネル２では、板状基材１１の形成材としては、上記したように、直線溝形成基材部分１６、湾曲溝形成基材部分１７、往復湾曲溝形成基材部分１８、出入り口形成基材部分１９があり、より細かな分類をすると、図６に示すように、湾曲溝形成基材部分１７として湾曲溝部１２ｂの形状が異なる２種類の部品（１７ａ，１７ｂ）（部品Ｅ及び部品Ｆ）があり、往復湾曲溝形成基材部分１８として往復湾曲溝１２ｃの形状が異なる２種類の部品（１８ａ，１８ｂ）（部品Ａ及び部品Ｂ）があり、出入り口形成基材部分１９としてヘッダ装着用単位体１９ａ（部品Ｃ）とヘッダ用湾曲経路形成用単位体１９ｂ（部品Ｄ）という２種類の部品があるから、１種類の直線溝形成基材部分１６を構成する部品（部品Ｇ）と合わせて、合計７種類の部品にて構成されることになる。前記各部品のうち、直線溝形成基材部分３３を構成する部品（Ｇ）は、複数の直線溝部が長手方向に沿って形成されている長尺状の構成材を床暖房パネルの大きさに合わせて短尺状に切断して形成されるものである。
【００４０】
そして、図３、図５に示すように、前記各基材部分１６〜１９における前記パネル所定方向Ｘに隣接するものの間に、主暖房用熱媒流通管５が通過する箇所を除いて長尺状の木製の小根太２０および短い矩形状の木製の小根太２０ａを装着するように構成され、前記各基材部分１６〜１９及び小根太２０、２０ａは厚みがほぼ同一に構成されている。
【００４１】
前記板状基材１１を構成する前記直線溝形成基材部分１６、湾曲溝形成基材部分１７、往復湾曲溝形成基材部分１８、及び、出入り口形成基材部分１９は、断熱作用を有して軽量化が可能な樹脂製（例えば、硬質のポリスチレン発泡体など）の板状体から構成され、その板状体に、パネル表面側を開口している上向き凹状の直線溝部や湾曲溝部などの溝部１２が形成されている。又、前記熱媒流通管５は、一般的に架橋ポリエチレン管やポリブテン樹脂管など可撓性のあるものが使用され、接続部のない１本の熱媒流通管５にて構成されている。そして、溝部１２に熱媒流通管５を凹入するように嵌め込んだ状態で、板状基材１１の表面側に均熱用のアルミ箔２１を貼着することにより、前記各基材部分１６〜１９及び小根太９を接続してそれらを一体化させ、更に、アルミ箔２１の上面にフローリング等の床仕上げ材２２が設けられて床暖房パネル２が構成されている。
【００４２】
前記主暖房用熱媒流通管５の両端は、前記熱媒ヘッダ１５に接続され、熱源機７から熱媒としての温水が供給されるように構成され、主暖房用熱媒流通管５に供給された温水が、主暖房用熱媒流通管５を通流して熱媒ヘッダ１５を介して床暖房パネル２から排出するように構成されている。
【００４３】
次に、前記副床暖房パネル４の構成について説明する。
副床暖房パネル４は、図４に示すように、外形が矩形状に構成された板状基材３１と、その板状基材３１に形成された溝部３２内に配設される副暖房用熱媒流通管６と、副暖房用熱媒流通管６に対して熱媒を受入れる熱媒受入れ用接続部1３と、副暖房用熱媒流通管６からの熱媒を排出するための熱媒排出用接続部１４とが備えられており、それらの熱媒受入れ用接続部１３と熱媒排出用接続部１４とが、板状基材３１におけるその一辺に沿うパネル所定方向（図のＸ２）において両端側に位置する部分に振り分け配置される構成となっている。具体的には、板状基材３１におけるパネル所定方向Ｘ２の一端側箇所であって且つパネル所定方向Ｘ２と交差する方向Ｙ２の一端側箇所に前記熱媒受入用接続部１３が配置され、パネル所定方向Ｘ２の他端側箇所であって且つパネル所定方向Ｘ２と交差する方向Ｙ２の一端側箇所に前記熱媒排出用接続部１４が配置される。
【００４４】
そして、熱媒流通管６が、熱媒受入用接続部１３から受け入れた熱媒を熱媒排出用接続部１４に向けて並列状態で通流させる複数（具体的には４本）の管体６Ａ，６Ｂ，６Ｃ，６Ｄを備えて構成され、複数の管体６Ａ〜６Ｄが、板状基材３１における板面方向に沿って間隔をあけた並び状態で、前記パネル所定方向Ｘ２と交差する方向（図のＹ２）に沿って直線状に延びる直線状管路部分６ａ、その直線状管路部分６ａの長手方向一端側箇所に接続されて湾曲状に屈曲する折れ曲がり経路を構成する一端側の湾曲状管路部分６ｂ、その一端側の湾曲状管路部分６ｂの長手方向の他端側に接続されて前記直線状管路部分６ａよりも前記パネル所定方向Ｘ２の他端側に離間してパネル所定方向Ｘ２と交差する方向Ｙ２に沿って直線状に延びる他端側の直線状管路部分６ａ、その他端側の直線状管路部分６ａの長手方向他端側箇所に接続されて湾曲状に屈曲する折れ曲がり経路を構成する他端側の湾曲状管路部分６ｂの夫々をその順序で交互に繰り返して蛇行状の経路を形成する状態で配設され、板状基材３１のほぼ全体にわたって分散させた状態で蛇行状の熱媒流通経路を形成する一方向通流形式に構成されている。
【００４５】
そして、前記板状基材３１が、副暖房用熱媒流通管６における直線状管路部分６ａが配設される平行又は略平行な複数の直線溝部３２ａを備えた複数の直線溝形成基材部分３３、複数の湾曲状管路部分６ｂが配設される複数の湾曲溝部３２ｂを備えた複数の湾曲溝形成基材部分３４、熱媒受入れ用接続部１３を備えた熱媒受入れ用基材部分３５、及び、熱媒排出用接続部１４を備えた熱媒排出用基材部分３６の夫々を並べて構成されている。
【００４６】
前記複数の直線溝形成基材部分３３は主床暖房パネル２に用いるものと長さが異なる他は同じ構成であり、このような複数の直線溝形成基材部分３３は、複数の直線溝部３２ａが長手方向に沿って形成されている長尺状の構成材を予め用意しておき、形成する床暖房パネルの大きさに合わせて短尺状に切断して形成されることになる。つまり、主床暖房パネル２用の長さにしたり、副床暖房パネル用４の長さにしたりすることができ、それらに共用する構成としている。因みに、この実施形態では、副暖房対象空間として台所３の床部に設置する構成であるから、台所３の幅に対応して短くする形態で使用する場合を例示している。
【００４７】
この副床暖房パネル４は、主床暖房パネル２と異なり、板状基材３１におけるパネル所定方向Ｘ２の一端側箇所であって且つパネル所定方向Ｘ２と交差する方向Ｙ２の一端側箇所に前記熱媒受入用接続部１３を備えた熱媒受入れ用基材部分３５が配設され、パネル所定方向Ｘ２の他端側箇所であって且つパネル所定方向Ｘ２と交差する方向Ｙ２の一端側箇所に前記熱媒排出用接続部１４を備えた熱媒排出用基材部分３６が配設される構成となっている。つまり、主床暖房パネル２における前記往復湾曲溝形成基材部分１８ａ，１８ｂに代えて、前記熱媒受入れ用基材部分３５及び前記熱媒排出用基材部分３６を配設する構成となっている。
【００４８】
そして、熱媒受入れ用基材部分３５に備えられる熱媒受入用接続部１３には複数の管体６Ａ，６Ｂ，６Ｃ，６Ｄ夫々の一端側が並列状態で接続される構成となっており、熱媒排出用基材部分３６に備えられる熱媒排出用接続部１４には複数の管体６Ａ，６Ｂ，６Ｃ，６Ｄ夫々の他端側が並列状態で接続される構成となっており、しかも、複数の管体６Ａ，６Ｂ，６Ｃ，６Ｄは板状基材３１のほぼ全体にわたって分散させた状態で蛇行状の熱媒流通経路を形成する構成となっている。尚、図４に示すように、熱媒受入れ用基材部分３５と熱媒排出用基材部分３６とは熱媒流動方向が逆向きになるが同一仕様のものを用いるようにしている。
【００４９】
又、この副床暖房パネル４では、主床暖房パネル２において熱媒ヘッダ１５配設部に設けられる出入り口形成基材部分１９は不要であるから、それに相当する位置には出入り口形成基材部分１９に代えて湾曲溝形成基材部分３４を用いることになる。
【００５０】
従って、この副床暖房パネル４では、板状基材３１の形成材として、上記したように、前記直線溝形成基材部分３３、前記湾曲溝形成基材部分３４、前記熱媒受入れ用基材部分３５、前記熱媒排出用基材部分３６があるが、この実施形態では、主床暖房パネル２と同様に、湾曲溝形成基材部分３４として湾曲溝部３２ｂの形状が異なる２種類の部品３４ａ，３４ｂがあり、前記熱媒受入れ用基材部分３５と前記熱媒排出用基材部分３６とは同一仕様の１種類の部品にて対応している。従って、より細かな分類をすると、図７に示すように、直線溝形成基材部分３４を構成する１種類の部品（部品Ｇ）、湾曲溝形成基材部分３４としての２種類の部品３４ａ，３４ｂ（部品Ｅ及び部品Ｆ）、熱媒受入れ用基材部分３５と前記熱媒排出用基材部分３６を兼用する１種類の部品（部品Ａ’）の合計４種類の部品より構成されることになる。そして、前記各部品のうち、直線溝形成基材部分３４を構成する部品（Ｇ）は、複数の直線溝部が長手方向に沿って形成されている長尺状の構成材を床暖房パネルの大きさに合わせて短尺状に切断して形成されるものである。この部品は、主床暖房パネル２における部品（Ｇ）とは長さが異なるものであるが、構成材は共通であるから同じ符号を付している。
【００５１】
このように構成することで、暖房ムラ等の少ない良好な状態で暖房対象空間（台所）のほぼ全体にわたって満遍なく暖房することが可能となり、前記熱媒受入用接続部１３から受け入れた熱媒を並列状態で設けられる４本の管体にて通流させる構成であるから圧力損失をできるだけ低くすることができる。例えば、主床暖房パネルのように１本の通流経路を構成する状態で蛇行状に通流させるものと比べると、床暖房面積が同じであっても約４分の１の圧力損失に低減することができる。
【００５２】
この副床暖房パネル４における板状基材３１は、主暖房パネル２と同様に、ポリエチレン発泡体などの発泡体にて構成され、副暖房用熱媒流通管６は、一般的に架橋ポリエチレン管やポリブテン樹脂管など可撓性のあるものが用いられ、蛇行状に配管された接続部のない管により構成されている。そして、溝部３２に副暖房用熱媒流通管６を凹入するように嵌め込んだ状態で、板状基材３１の表面側にアルミ箔２１を貼着することにより、前記各基材部分３３、３４、３５，３６および小根太２０，２０ａを接続して、それらを一体化させ、更に、アルミ箔２１の上面にフローリング等の床仕上げ材２２が設けられて床暖房パネル４が構成される。
【００５３】
次に、主床暖房パネル２及び副床暖房パネル４の製造方法について説明する。
前記主床暖房パネル２を作成する場合には、板状基材１１の形成材として、上記したような複数の直線溝形成基材部分１６、複数の湾曲溝形成基材部分１７、往復湾曲溝形成基材部分１８、出入り口形成基材部分１９の夫々を作成して、それら形成材を並べて板状基材を形成することになる。具体的に説明すると、この実施形態では、上述した如く、湾曲溝形成基材部分１７としての２種類の部品１７ａ，１７ｂ、往復湾曲溝形成基材部分１８としての２種類の部品１８ａ，１８ｂ、出入り口形成基材部分１９としての２種類の部品１９ａ，１９ｂ、及び直線溝形成基材部分１６として１種類の部品の合計７種類の部品を作成して、それらの各部品を並べて板状基材１１を形成する。
【００５４】
そして、板状基材１１に形成された溝部１２に主暖房用熱媒流通管５を凹入するように嵌め込んだ状態で、板状基材１１の表面側に均熱用のアルミ箔２１を貼着して前記各基材部分１６〜１９および小根太２０，２０ａを接続してそれらを一体化させ、更に、アルミ箔２１の上面にフローリング等の床仕上げ材２２を貼着して床暖房パネル２を作成する。
【００５５】
前記副床暖房パネル４を作成する場合には、板状基材３１の形成材として、上記したような複数の直線溝形成基材部分３３、複数の湾曲溝形成基材部分３４、熱媒受入れ用基材部分３５、及び、熱媒排出用基材部分３６の夫々を作成して、それら形成材を並べて板状基材３１を形成することになる。具体的に説明すると、この実施形態では、上述した如く直線溝形成基材部分３３を構成する１種類の部品、湾曲溝形成基材部分３４としての２種類の部品３４ａ，３４ｂ、熱媒受入れ用基材部分３５と熱媒排出用基材部分３６を兼用する１種類の部品の合計４種類の部品を作成して、それらの各部品を並べて板状基材３１を形成する。
【００５６】
そして、板状基材３１に形成された溝部３２に副暖房用熱媒流通管６を凹入するように嵌め込んだ状態で、板状基材３１の表面側に均熱用のアルミ箔２１を貼着して前記各基材部分３３〜３６および小根太２０，２０ａを接続してそれらを一体化させ、更に、アルミ箔２１の上面にフローリング等の床仕上げ材２２を貼着して床暖房パネル４を作成する。
【００５７】
前記副床暖房パネル４の作成に用いる板状基材３１における直線溝形成基材部分３３及び湾曲溝形成基材部分３４と、主床暖房パネル２の作成に用いる板状基材１１における直線溝形成基材部分１６及び湾曲溝形成基材部分１７とを同じ仕様として兼用するようにしている。このように部材を兼用することで、部品を作成するための金型を兼用して金型の製作費を抑制することができ、又、製造工程も同じものを利用することができるから、全体としての製造コストを低減することができる。
【００５８】
ところで、上記各基材部分のうち直線溝形成基材部分１６，３３については、副床暖房パネル４の場合と主床暖房パネル２とでは長さが異なることになるが、このような複数の直線溝形成基材部分は、複数の直線溝部が長手方向に沿って形成されている長尺状の構成材を予め用意しておき、形成する床暖房パネルの大きさに合わせて短尺状に切断して長さを調整して形成するのである。従って、予め作成する部品としては同一仕様のものを作成すればよく、部品を作成するための金型等は同一のものでよく製作費を抑制することができる。
【００５９】
〔別実施形態〕
次に別実施形態を説明する。
【００６０】
（１）上記実施形態では、一方向通流形式の床暖房パネルとしての副床暖房パネル４において、前記熱媒受入用接続部と前記熱媒排出用接続部とが、前記板状基材におけるその一辺に沿うパネル所定方向において両端側に位置する部分に振り分け配置される構成として、板状基材３１におけるパネル所定方向Ｘ２の一端側箇所であって且つパネル所定方向Ｘ２と交差する方向Ｙ２の一端側箇所に前記熱媒受入用接続部１３が配置され、パネル所定方向Ｘ２の他端側箇所であって且つパネル所定方向Ｘ２と交差する方向Ｙ２の一端側箇所に前記熱媒排出用接続部１４が配置される構成を例示したが、このような構成に限らず、次のように構成してもよい。
【００６１】
前記板状基材３１におけるパネル所定方向Ｘ２の一端側箇所であって且つパネル所定方向Ｘ２と交差する方向Ｙ２の一端側箇所に前記熱媒受入用接続部１３が配置され、パネル所定方向Ｘ２の他端側箇所であって且つパネル所定方向Ｘ２と交差する方向Ｙ２の他端側箇所に前記熱媒排出用接続部１４が配置される構成でもよい。この構成は、前記熱媒受入用接続部１３と前記熱媒排出用接続部１４とが矩形状の板状基材３１における対角線上の角部に振り分け配置される例である。
【００６２】
又、このように前記熱媒受入用接続部１３及び前記熱媒排出用接続部１４を、板状基材３１における前記交差する方向Ｙ２の一端側箇所や他端側箇所に設けるのではなく、板状基材３１における前記交差する方向Ｙ２での中間位置に設けるようにしてもよく、要するに、前記熱媒受入用接続部と前記熱媒排出用接続部とが、前記板状基材におけるその一辺に沿うパネル所定方向において両端側に位置する部分に振り分け配置される構成であればよく、前記交差する方向Ｙ２での位置は限定されるものではない。
【００６３】
（２）上記実施形態では、一方向通流形式の床暖房パネルとしての副床暖房パネル４において、前記湾曲溝形成基材部分として形状が異なる２種のものを備える構成としたが、このような構成に代えてそれらを１つの種類の基材部分として構成してもよい。又、熱媒受入れ用基材部分と熱媒排出用基材部分として同一仕様のものを用いるようにしたが、このような構成に代えて、それらを異なる仕様のものとして別部品にて構成するようにしてもよい。
【００６４】
（３）上記実施形態では、一方向通流形式の床暖房パネルとしての副床暖房パネル４における熱媒流通管が、並列接続される４本の管体にて構成されるものを例示したが、４本に限らず、循環用の戻り経路を備えない状態で２本以上並列状態で設けられるものであればよく管体の本数は限定されない。
【００６５】
（４）上記実施形態では、主暖房対象空間としてのリビング１の床部に循環通流形式の床暖房パネルとしての主床暖房パネル２を設置し、副暖房対象空間としての台所３の床部に一方向通流形式の床暖房パネルとしての副床暖房パネル４を設置して、リビング１および台所３を暖房するようにしているが、副暖房対象空間として廊下や脱衣所等を暖房してもよい。又、主暖房対象空間をリビング１に代えて和室とすることも可能であり、主暖房対象空間および副暖房対象空間については適宜変更が可能である。
【図面の簡単な説明】
【００６６】
【図１】床暖房設備の概略構成図
【図２】床暖房設備を暖房対象住居に設置した状態での平面図
【図３】主床暖房パネルの平面図
【図４】副床暖房パネルの平面図
【図５】床暖房パネルの要部の分解斜視図
【図６】主床暖房パネルにおける板状基材を構成する部品を示す図
【図７】副床暖房パネルにおける板状基材を構成する部品を示す図
【符号の説明】
【００６７】
１              主暖房対象空間
３              副暖房対象空間
５、６          熱媒流通管
６Ａ〜６Ｄ      管体
７              熱源機
１１、３１      板状基材
１２ａ、３２ａ  直線溝部
１２ｂ，３２ｂ  湾曲溝部
１２ｃ          往復湾曲溝部
１３            熱媒受入れ用接続部
１４            熱媒排出用接続部
１５            熱媒ヘッダ
１６、３３      直線溝形成基材部分
１７、３４      湾曲溝形成基材部分
１８            往復湾曲溝形成基材部分
１９            出入り口形成基材部分
３５            熱媒受入れ用基材部分
３６            熱媒排出用基材部分
【図１】
2006214692.tif 000003
【図２】
2006214692.tif 000004
【図３】
2006214692.tif 000005
【図４】
2006214692.tif 000006
【図５】
2006214692.tif 000007
【図６】
2006214692.tif 000008
【図７】
2006214692.tif 000009